(57)【要約】【課題】商品の転倒及び滑りを防止し、また、商品の陳列状態での美観を損なうことを防ぐディスプレイ用具を提供する。【解決手段】  ディスプレイ用具１は、底板１１と、前板１３と、背板１５と、一対の側板１７，１７と、一対の脚板１９，１９と、を備える。背板１５の一対の縦辺は、三角形をなした一対の脚板１９，１９の一の斜辺と連接する。一対の脚板１９，１９の底面は、接地辺３１ｃ，３１ｃとなる。これらにより、各部材が組み合わされた状態で、背板１５は、連接された一対の脚板１９，１９の斜辺によって、傾いた状態で配置される。これにより、パウチ商品３を立て掛けて陳列しているとき、パウチ商品３が背板１５に寄り掛かり、安定して保持される。また、複数収納されたパウチ商品３の一つを取り出すとき、残ったパウチ商品３について、衝撃、振動等の外的要因による転倒を防止することが可能となる。【選択図】図１
0003206457.tif 000002
【実用新案登録請求の範囲】
【請求項１】
底板と、
前記底板の前端から斜め後方に延びる前板と、
前記底板の後端から斜め後方に延びる背板と、
前記前板の側端に連接され、前記背板に向かって延びる一対の側板と、
前記背板の側端に連接され、前記背板の後方に向けて延びる一対の脚板と、を具備し、
前記底板、前記前板、前記背板、前記一対の側板、及び、前記一対の脚板との各部材は、各々の外形を規定する辺が、少なくとも他の一の部材との連接辺をなすことで、一枚のシート材から構成され、
前記背板と前記一対の脚板との前記連接辺に切り込みが形成されており、
前記各連接辺において各部材が折り曲げられ、前記切り込みに前記一対の側板の一部が挿入乃至組み合わされた状態で、前記底板、前記前板、前記背板、及び、前記一対の側板によって、前記商品の収納部が形成されることを特徴とするディスプレイ用具。
【請求項２】
前記底板は、矩形をなして、一対の横辺が、前記背板及び前記前板との連接辺となっており、
前記背板は、矩形をなして、一対の横辺の一方が前記前板との連接辺となっており、一対の縦辺が前記一対の脚板との連接辺となっており、
前記脚板は、多角形をなして、一の斜辺が前記背板との連接辺となっており、底辺が接地辺となっており、
前記前板は、矩形をなして、一対の横辺の一方が前記底板との連接辺となっており、一対の縦辺が前記一対の側板との連接辺となっており、
前記一対の側板は、平行四辺形をなして、一対の縦辺の一方が前記前板との連接辺となっており、該連接辺と鋭角をなす縦辺が接地辺となっていることを特徴とする請求項１に記載のディスプレイ用具。
【請求項３】
前記前板は、一対の横辺と平行な折り曲げ線において二つ折り可能に構成され、前記底板との前記連接辺とは反対側の横辺を含む半分側の前記前板の縦辺に前記一対の側板が連接されており、
前記一対の側板の、前記接地辺をなす横辺と対向する横辺に、前記一対の側板の外形の内側に収まる形状のタブが、折り曲げ可能に連接され、
前記各連接辺において各部材が折り曲げられた状態で、前記前板及び前記一対の側板のそれぞれが、二重構造をなすことを特徴とする請求項２に記載のディスプレイ用具。
【請求項４】
前記切り込みは、前記一対の側板の前記接地辺、及び、前記背板と前記一対の脚板との前記連接辺に形成され、
前記一対の側板の一部が、前記背板の正面側から前記背板と前記一対の脚板との前記連接辺に形成された前記切り込みに挿入された状態で、前記一対の側板の接地辺に形成された切り込みが、前記背板と前記一対の脚板との前記連接辺に沿って組み合わされることを特徴とする請求項１乃至３項のいずれか１項に記載のディスプレイ用具。
【請求項５】
前記一対の側板の前記タブには、前記背板と前記一対の脚板との前記連接辺に形成された切り込みに挿入された状態で、前記背板の背面に沿って突出するフラップが、折り曲げ可能に設けられていることを特徴とする請求項３又は４に記載のディスプレイ用具。
【請求項６】
前記底板の、前記前板と前記背板との間に、一以上の、前記背板へ向けて突出する切り起こしが設けられていることを特徴とする請求項１乃至５のいずれか１項に記載のディスプレイ用具。
【考案の詳細な説明】
【技術分野】
【０００１】
本考案は、商品を立て掛けて陳列するディスプレイ用具に関するものである。
【背景技術】
【０００２】
従来、ディスプレイ用具として、一枚のシート部材を折り曲げて立体形状に成形して、いわゆるパウチ商品等の内容部が平たい袋状の容器に密閉された商品を陳列するディスプレイ用具が用いられている。例えば、特許文献１には、一枚の平板を所定の形状に打ち抜き、適所折り曲げることにより、立体形状に組み立てられるものである。
【先行技術文献】
【特許文献】
【０００３】
【特許文献１】実公昭４６−３７３１９号公報
【考案の概要】
【考案が解決しようとする課題】
【０００４】
しかしながら、上記特許文献１に記載される陳列台のような従来のディスプレイ用具では、立て掛けられた商品を取り出すとき、衝撃、振動等の外的要因によって、商品が倒れるという問題がある。また、厚さが薄い商品を立て掛けている場合、商品の陳列数が減っていくと、残りの商品の下部が前方に滑ることがあるため、その滑った商品を、消費者が適切に視認することが困難となるという問題がある。更に、商品が滑った状態で陳列されていると、商品の陳列の美観を損ねるという問題がある。
【０００５】
本考案は、上記課題に鑑みてなされたものであり、その目的にするところは、陳列中の商品の転倒及び滑りを防止できまた、商品の陳列数にかかわらず、陳列状態の美観を維持できるディスプレイ用具を提供することにある。
【課題を解決するための手段】
【０００６】
（考案の態様）
以下の考案の態様は、本考案の態様を例示するものであり、本考案の多様な構成要素の理解を容易にするために、項分けして説明するものである。なお、以下の各項は、本考案の技術的範囲を限定するものではなく、本考案を実施する最良の形態を参酌しつつ、各項の構成要素の一部を置換し、削除し、又は、更に他の構成要素を付加した態様についても、本考案の一態様になり得るものである。なお、本願において、「横辺」とは図５に示す幅方向Ｘ及び略幅方向Ｘに延びる辺をいい、「縦辺」とは図５に示す奥行き方向Ｙ及び略奥行き方向Ｙに延びる辺をいう。また、「矩形」とは、すべての角が直角の四辺形をいい、長方形及び正方形を含む。
【０００７】
（１）商品を立て掛けて陳列するための立体形状を有するディスプレイ用具であって、
底板と、
前記底板の前端から斜め後方に延びる前板と、
前記底板の後端から斜め後方に延びる背板と、
前記前板の側端に連接され、前記背板に向かって延びる一対の側板と、
前記背板の側端に連接され、前記背板の後方に向けて延びる一対の脚板と、を具備し、
前記底板、前記前板、前記背板、前記一対の側板、及び、前記一対の脚板との各部材は、各々の外形を規定する辺が、少なくとも他の一の部材との連接辺をなすことで、一枚のシート材から構成され、
前記背板と前記一対の脚板との前記連接辺に切り込みが形成されており、
前記各連接辺において各部材が折り曲げられ、前記切り込みに前記一対の側板の一部が挿入乃至組み合わされた状態で、前記底板、前記前板、前記背板、及び、前記一対の側板によって、前記商品の収納部が形成されるディスプレイ用具（請求項１）。
【０００８】
本項に係るディスプレイ用具では、底板と、この底板の前後端に連接された前板及び背板と、前板の側端に連接された一対の側板と、背板の側端に連接された一対の脚板とを組み立てて立体形状にすることにより、これら各部材によって、収納部が形成されるとともに、棚等に安定に設置することができる。複数の商品は、底板に載置され、先頭の商品の下部表面が前板に当接し、各商品の下部側端が一対の側板に挟持され、後尾の商品の裏面全体が背板にもたれ掛けられた状態で保持される。また、収納部に複数の商品を並列に重ねて立て掛けて、収納することが可能となる。また、前板、背板、一対の側板、及び、一対の脚板との各部材は、各々の外形を規定する辺が、少なくとも他の一の部材との連接辺を構成する一枚のシート部材から構成される。これにより、各部材が分離されることがないため、ディスプレイ用具を使用しないとき、展開して一枚の扁平状のシートとすることができ、荷造、運送が容易なものとなる。更に、各部材が一枚のシート部材のみから構成されているので、コストを抑えることが可能となる。また、背板と一対の脚板との連接辺に切り込みを形成することにより、一対の側板の一部が切り込みに挿入乃至組み合されることで、適切な位置で各部材が保持され、複数の商品の重みに耐えられるだけの強度と、耐久性とを備えるものとなる。
【０００９】
（２）上記（１）項において、前記底板は、矩形をなして、一対の横辺が、前記背板及び前記前板との連接辺となっており、
前記背板は、矩形をなして、一対の横辺の一方が前記前板との連接辺となっており、一対の縦辺が前記一対の脚板との連接辺となっており、
前記脚板は、多角形をなして、一の斜辺が前記背板との連接辺となっており、底辺が接地辺となっており、
前記前板は、矩形をなして、一対の横辺の一方が前記底板との連接辺となっており、一対の縦辺が前記一対の側板との連接辺となっており、
前記一対の側板は、平行四辺形をなして、一対の  縦辺の一方が前記前板との連接辺となっており、該連接辺と鋭角をなす横辺が接地辺となっているディスプレイ用具（請求項２）。
【００１０】
本項に係るディスプレイ用具では、底板は、矩形をなすことにより、商品を複数適切に設置するものとなる。また、矩形をなした背板の一対の縦辺と多角形をなした一対の脚板の一の斜辺とを連接し、一対の脚板の底辺を接地辺とすることで、各部材が組み合わされた状態で、背板は、連接された一対の脚板の斜辺によって、傾く。これにより、商品を立て掛けて陳列しているとき、商品が背板に寄り掛かり、安定して保持される。また、複数収納された商品の一つを取り出すとき、残った商品について、衝撃、振動等の外的要因による転倒を防止することが可能となる。更に、一対の側板は、平行四辺形をなし、一対の縦辺（斜辺）の一方を前板の縦辺と連接し（連接辺）、この連接辺と鋭角をなす横辺が接地辺とすることで、各部材が組み立てられた状態で、前板は、平行四辺形をなす一対の側板の一対の縦辺によって、背板側に傾く。これにより、複数の商品を収納部に収納したとしても、全ての商品を背板側に寄り掛けるように働きかけるものとなる。
【００１１】
（３）上記（２）項において、前記前板は、一対の横辺と平行な折り曲げ線において二つ折り可能に構成され、前記底板との前記連接辺とは反対側の横辺を含む半分側の前板の縦辺に前記一対の側板が連接されており、
前記一対の側板の、前記接地辺をなす横辺と対向する横辺に、前記一対の側板の外形の内側に収まる形状のタブが、折り曲げ可能に連接され、
前記各連接辺において各部材が折り曲げられた状態で、前記前板及び前記一対の側板のそれぞれが、二重構造をなすディスプレイ用具（請求項３）。
【００１２】
本項に係るディスプレイ用具では、前板は、一対の横辺と平行な折り曲げ線において二つ折り可能に構成することにより、各部材を組み立てた状態で、前板が二重構造となり、商品が前方に倒れても、その重みに耐えられるだけの強度と、耐久性とを備えるものとなる。また、前板は、底板との連接辺とは反対側の横辺を含む半分側の前板の縦辺に一対の側板を連接することにより、組み立てられたディスプレイ用具を展開して、一枚のシート部材にしたとき、一対の側板と一対の脚板とが離間して配置されるので、接地辺をなす横辺と対向する横辺にタブを連接して配置することが可能となる。更に、一対の側板は、連接辺をなす横辺と対向する横辺に、一対の側板の外形の内側に収まるように、折り曲げ可能に連接されたタブを設けることにより、各部材を組み立てた状態で、一対の側板が二重構造となり、外部からの衝撃等に対する耐久性を備え、強度を高めるものとなる。
【００１３】
（４）上記（１）乃至（３）項のいずれか１項において、前記切り込みは、前記一対の側板の前記接地辺、及び、前記背板と前記一対の脚板との前記連接辺に形成され、
前記一対の側板の一部が、前記背板の正面側から前記背板と前記一対の脚板との前記連接辺に形成された前記切り込みに挿入された状態で、前記一対の側板の接地辺に形成された切り込みが、前記背板と前記一対の脚板との前記連接辺に沿って組み合わされるディスプレイ用具（請求項４）。
【００１４】
本項に係るディスプレイ用具では、一対の側板の接地辺、及び、背板と一対の脚板との連接辺に切り込みを形成することにより、各切り込みが他の部材と組み合わさることで、ディスプレイ用具の立体形状を自律的に維持するものとなる。具体的には、一対の側板の一部が、背板の正面側から背板と一対の脚板との連接辺に形成された切り込みに挿入された状態で、一対の側板の接地辺に形成された切り込みが、背板と一対の脚板との連接辺に沿って組み合されることにより、一対の側板が背板と一対の脚板との連接辺に形成された切り込みから抜けるのを防ぐことができ、ディスプレイ用具の立体形状を自律的に維持するものとなる。
【００１５】
（５）上記（３）又は（４）項において、前記一対の側板の前記タブには、前記背板と前記一対の脚板との前記連接辺に形成された切り込みに挿入された状態で、前記背板の背面に沿って突出するフラップが、折り曲げ可能に設けられているディスプレイ用具（請求項５）
【００１６】
本項に係るディスプレイ用具では、一対の側板のタブに、折り曲げ可能なフラップを設けることにより、一対の側板が背板と前記一対の脚板との連接辺に形成された切り込みに挿入された状態で、フラップが背板の背面に沿って突出するように設けられる。これにより、一対の側板が切り込みから抜かれる方向に変形するような場合であっても、フラップが背板の背面に当接して、一対の側板の抜けを防止するものとなる。
【００１７】
（６）上記（１）乃至（５）項のいずれか１項において、前記底板の、前記前板と前記背板との間に、一以上の、前記背板へ向けて突出する切り起こしが設けられているディスプレイ用具（請求項６）。
【００１８】
本項に係るディスプレイ用具では、底板には、前板と背板との間に背板へ向けて突出する複数の切り起こしを設けることにより、立て掛けられた商品が前板側に滑った際、商品が切り起こしに引掛り、滑りを防止するものとなる。また、切り起こしと切り起こしとの間に、複数の商品を配置することで、商品を整列させ、商品の陳列状態での美観を高めるものとなる。
【考案の効果】
【００１９】
本考案は、以上のように構成したことにより、陳列中の商品の転倒及び滑りを防止することができる。また、商品の陳列数にかかわらず、陳列状態の美観を維持することが可能となる。
【図面の簡単な説明】
【００２０】
【図１】本考案の一実施形態に係るディスプレイ用具に商品を立て掛けた状態の斜視図である。
【図２】図１に示すディスプレイ用具単体の斜視図である。
【図３】図２に示すディスプレイ用具の後方の斜視図である。
【図４】図２に示すディスプレイ用具の側面図である。
【図５】図１に示すディスプレイ用具の展開図である。
【考案を実施するための形態】
【００２１】
以下、本考案の一実施形態に係るディスプレイ用具の構成を図１〜図５に基づいて詳細に説明する。なお、便宜上、図５における矢印Ｘを幅方向Ｘ、及び、図５における矢印Ｙを奥行き方向Ｙと定義する。また、図５に示す幅方向Ｘに延びる辺を横辺、及び、図５に示す奥行き方向Ｙに延びる辺を縦辺と定義する。
【００２２】
本考案のディスプレイ用具１は、図１に示すように、内容部が平たい袋状の容器に密閉された商品、いわゆるパウチ商品３等を立て掛けて陳列するのに適したものである。このディスプレイ用具１は、図５に示すように、底板１１と、前板１３と、背板１５と、一対の側板１７，１７と、一対の脚板１９，１９と、を備える。また、ディスプレイ用具１は、図１及び図２に示されているように、立体形状に組み立てられた状態で、底板１１、前板１３、背板１５及び一対の側板１７，１７によって、収納部２１が成形される。底板１１、前板１３、背板１５、一対の側板１７，１７、及び、一対の脚板１９，１９との各部材は、各々の外形を規定する辺が、少なくとも他の一の部材との連接辺２３ａ〜２３ｄを構成する一枚のシート部材から構成されている。
【００２３】
底板１１は、平面視で矩形をなし（図５参照）、一方の横辺（図５に示す幅方向Ｘに延びる辺）に折れ線２５ａ（図５の破線参照）を介して前板１３が連接され、他方の横辺に折れ線２５ｂ（図５の破線参照）を介して背板１５が連接されている。また、底板１１には、複数の切り起こし２７（図５では、４つ）が設けられている。この切り起こし２７は、パウチ商品３の滑りを防止する又は整列させるものであり、平面視で半円形をなし、半円弧の部分２７ａが切り抜かれ、切り抜かれた両端を結ぶ辺が折れ線２７ｂを介して底板１１に連接されている。また、切り起こし２７は、前板１３と背板１５との間に所定の間隔を置いて、折れ線２７ｂが折れ線２５ａ、２５ｂに平行となるように底板１１の中央に配置され、本ディスプレイ用具１が組み立てられた状態では、底板１１から背板１５に向けて斜めに突出している（図１及び図２参照）。
【００２４】
前板１３は、平面視で矩形をなし（図５参照）、一対の横辺（図５に示す幅方向Ｘに延びる辺）と平行な折り曲げ線２９ａにおいて二つ折りを可能にし、第１前板１３ａ及び第２前板１３ｂを備えた二重構造となるように構成されている。具体的には、第１及び第２前板１３ａ，１３ｂは、同一面積になるように、縦辺（図５に示す奥行き方向Ｙに延びる辺）の中央で折り曲げられて（図５の破線（折り曲げ線２９ａ）参照）、第１前板１３ａ及び第２前板１３ｂを成形する。換言すれば、第２前板１３ｂは、一方の横辺（図５に示す幅方向Ｘに延びる辺）が底板１１に連接され、他方の横辺（図５に示す幅方向Ｘに延びる辺）が折り曲げ線２９ａを介して第１前板１３ａに連接されている。また、前板１３は、折れ線２５ａを介して底板１１に連接される横辺（図５に示す辺２３ａ）と、この横辺（図５に示す辺２３ａ）の反対側の横辺３１ａが、棚等の底面に接地する接地辺となる。そして、第１前板１３ａは、両縦辺２３ｃ，２３ｃ（図５に示す奥行き方向Ｙに延びる辺）に折り線２５ｃ，２５ｃを介して一対の側板１７，１７が連接されている。
【００２５】
背板１５は、平面視で矩形をなし（図５参照）、パウチ商品３の外形が収まるだけの面積を有する（図１参照）。この背板１５は、両縦辺（図５に示す奥行き方向Ｙに延びる辺）に折れ線２５ｄ，２５ｄを介して一対の脚板１９，１９が連接され、一方の横辺（図５に示す幅方向Ｘに延びる辺）に折れ線２５ｂを介して底板１１が連接されている。また、背板１５は、一対の脚板１９，１９と連接する辺２３ｄ、２３ｄに切り込み３３，３３が形成されている。この切り込み３３，３３は、平面視で長方形をなした孔であり（図５参照）、背板１５と一対の脚板１９，１９とが連接する辺２３ｄ、２３ｄの略下部から略中央に形成されている。切り込み３３，３３の長さは、折り曲げ線２９ｂにおいて二つ折りにされた状態の一対の側板１７，１７の縦辺の長さより長く、幅は、同二つ折り状態の一対の側板１７，１７の厚さより大きく形成されている。
【００２６】
一対の側板１７，１７は、側面視で略平行四辺形をなし、一方の横辺（図５に示す幅方向Ｘに延びる辺）と平行な折り曲げ線２９ｂにおいて二つ折りを可能にし、第１側板１７ａ及び第２側板１７ｂ（タブ）を備えた二重構造となるように構成されている。具体的には、両縦辺（図５に示す奥行き方向Ｙに延びる辺）の略中央で折り曲げられて（図５の破線（折り曲げ線２９ｂ）参照）、一対の側板１７，１７は、第１及び第２側板１７ａ，１７ｂの投影視で第２側板１７ｂが第１側板１７ａに収まるように、第１側板１７ａ及び第２側板１７ｂを成形する。一対の第１側板１７ａ，１７ａは、平面視で略平行四辺形をなし（図５参照）、一方の縦辺（図５に示す辺２３ｃ，２３ｃ）が折れ線２５ｃ，２５ｃを介して第１前板１３ａに連接されている。また、一対の第１側板１７ａ，１７ａは、第１前板１３ａとの連接辺２３ｃ，２３ｃと鋭角をなす横辺３１ｂ，３１ｂが棚等の底面に接地する接地辺となる。この第１側板１７ａ，１７ａの接地辺３１ｂ，３１ｂの略中央には、折り曲げ線２９ｂ，２９ｂに向かって、直線状に延びる切り込み３５，３５が形成されている。一対の第２側板１７ｂ，１７ｂは、平面視で略台形をなし、折り曲げ線２９ｂ，２９ｂと反対側の辺が略Ｚ字状に屈折して、折れ線２５ｅ，２５ｅが形成され、この折れ線２５ｅ，２５ｅに沿って折り曲げ可能に設けられたフラップ３７，３７が形成されている。
【００２７】
一対の脚板１９，１９は、平面視で三角形をなし（図５参照）、一方の斜辺が折れ線２５ｄ，２５ｄを介して背板１５の両縦辺（図５に示す辺２３ｄ，２３ｄ）に連接されている。一対の脚板１９，１９の斜辺は、背板１５の両縦辺の長さと同じ長さを有する。また、一対の脚板１９，１９の底辺は、棚等の底面に接地する接地辺３１ｃ，３１ｃとなる。
【００２８】
次に、本実施形態に係るディスプレイ用具１の組立て手順の一例を図１〜図５を参照しながら以下に説明する。
まず、一対の側板１７，１７の各々を、一対の第２側板１７ｂ，１７ｂが一対の第１側板１７ａ，１７ａと重なるように、折り曲げ線２９ｂに沿って折り曲げる。このとき、本ディスプレイ用具１を組立てた後、再展開しない場合は、一対の第２側板１７ｂ，１７ｂのフラップ３７，３７のみを折れ線２５ｅに沿って自由に折り曲げ可能となるように、一対の第２側板１７ｂ，１７ｂの裏面を一対の第１側板１７ａ，１７ａの裏面に接着させてもよい。
【００２９】
次に、第１前板１３ａと第２前板１３ｂとを重ね合わせるように、折り曲げ線２９ａに沿って前板１３を折り曲げる。その後、底板１１に連接されている第２前板１３ｂ及び背板１５を、折れ線２５ａ及び２５ｂに沿って図５の紙面手前側へと折り曲げる。第２前板１３ｂを折り曲げる際、一対の側板１７，１７も折れ線２５ｃ，２５ｃに沿って図５の紙面奥側へと折り曲げる。更に、背板１５を折り曲げている過程で、一対の側板１７，１７の、第１前板１３ａに連接された連接辺２３ｃ，２３ｃ（一方の縦辺）とは反対側の縦辺を、背板１５と一対の脚板１９，１９との連接辺２３ｄ，２３ｄに形成された切り込み３３，３３に挿入する。この際、第２側板１７ｂ，１７ｂのフラップ３７，３７は、背板１５と一対の脚板１９，１９との連接辺２３ｄ，２３ｄに形成された切り込み３３，３３を通過し、背板１５の背面に配置される。
【００３０】
そして、一対の第１側板１７ａ，１７ａの接地辺３１ｂ，３１ｂに形成された切り込み３５，３５が背板１５と一対の脚板１９，１９との連接辺２３ｄ，２３ｄに形成された切り込み３３，３３に達したとき、切り込み３３，３３の下端に係合させることで、切り込み３５，３５は、背板１５と一対の脚板１９，１９との連接辺２３ｄ，２３ｄに沿って組み合わされる（図１〜図４参照）。また、背板１５は、一対の脚板１９，１９の斜辺に連接されることによって、底板１１と連接された横辺（図５に示す辺２３ｂ）とは反対側の横辺側が後方に位置するように、傾いて配置される（図４参照）。
【００３１】
そして、第２側板１７ｂ，１７ｂに設けたフラップ３７，３７を折れ線２５ｅ，２５ｅに沿って折り曲げて、背板１５の背面に沿って係止させる（図３参照）。これにより、切り込み３３，３３に対する一対の側板１７，１７の抜け止めが施され、底板１１、前板１３，背板１５、及び、一対の側板１７，１７が組み立てられた状態となり、かつ、これら各部材によって、収納部２１が形成される（図１及び図２参照）。
【００３２】
そして、一対の脚板１９，１９を折れ線２５ｄ，２５ｄに沿って折り曲げて、背板１５の後方に配置する（図２及び図３参照）。このとき、前板１３は、平行四辺形をなす一対の側板１７，１７の一対の縦辺（図５に示す辺２３ｃ，２３ｃ）に連接されていることによって、背板１５側に傾いて配置される（図４参照）。そして、底板１１に形成された切り起こし２７を折れ線２７ｂに沿って折り曲げて、底板１１から背板１５に向けて立設させる（図１及び図２参照）。これにより、ディスプレイ用具１の組立てが完了する。
【００３３】
一方、ディスプレイ用具１を展開する場合には、まず、一対の第２側板１７ｂ，１７ｂのフラップ３７，３７と背板１５の裏面との係合を解除する。そして、一対の第１側板１７ａ，１７ａの切り込み３５，３５と、背板１５及び一対の脚板１９，１９の連接辺２３ｄ，２３ｄとの係合を解除して、背板１５と一対の脚板１９，１９との連接辺２３ｄ，２３ｄに形成された切り込み３３，３３から一対の側板１７，１７を引抜く。その後、折り曲げられている底板１１、前板１３（第１及び第２前板１３ａ及び１３ｂ）、背板１５、一対の側板１７，１７及び一対の脚板１９，１９の各部材を折れ線２５ａ〜２５ｄに沿って展開させて、扁平状にする（図５参照）。
【００３４】
次に、本実施形態のディスプレイ用具１の使用方法について、図１及び図５を参照して説明する。
パウチ商品３をディスプレイ用具１に陳列する場合、上述に記載した通り、ディスプレイ用具１を組み立てる。ディスプレイ用具１を組み立てた状態で、パウチ商品３を収納部２１内に収納させる。このとき、パウチ商品３は、底板１１に立設された切り起こし２７間に複数載置する（図１では１つ）。また、パウチ商品３は、傾いた前板１３及び背板１５によって、背板１５に寄り掛かって陳列される（図１参照）。
【００３５】
上記構成を有する本考案の一実施形態のディスプレイ用具１によると、底板１１と、この底板１１の前後端に連接された前板１３及び背板１５と、前板１３の縦辺に連接された一対の側板１７，１７と、背板１５の縦辺に連接された一対の脚板１９，１９とを組み立てて立体形状にすることで、収納部２１が形成される。これにより、収納部２１内に複数のパウチ商品３を並列に重ねて立て掛けることにより、複数のパウチ商品３は、底板１１に載置され、先頭の商品の下部表面が前板１３に当接し、各パウチ商品３の下部側端が一対の側板１７，１７に挟持され、後尾のパウチ商品３の裏面全体が背板１５にもたれ掛けられた状態で適切に保持されることが可能となる。
【００３６】
また、底板１１、前板１３、背板１５、一対の側板１７，１７、及び、一対の脚板１９，１９との各部材は、各々の外形を規定する辺が、少なくとも他の一の部材との連接辺２３ａ〜２３ｄを構成する一枚のシート部材から構成されるため、底板１１、前板１３、背板１５、一対の側板１７，１７、及び、一対の脚板１９，１９を展開した際、これら各部材が分離されないものとなる。これにより、展開されたディスプレイ用具１の荷造、運送が容易なものとなる。また、各部材が一枚のシート部材のみから構成されているので、コストを抑えるものとなる。
【００３７】
更に、矩形をなした背板１５の一対の縦辺と三角形をなした一対の脚板１９，１９の一の斜辺とを連接し、一対の脚板１９，１９の底辺を接地辺３１ｃ，３１ｃとすることで、各部材が組み合わされた状態で、背板１５は、連接された一対の脚板１９，１９の斜辺によって、傾いた状態で配置される。これにより、パウチ商品３を立て掛けて陳列しているとき、パウチ商品３が背板１５に寄り掛かり、安定して保持することが可能となる。また、複数収納されたパウチ商品３の一つを取り出すとき、残ったパウチ商品３について、衝撃、振動等の外的要因による転倒を防止することが可能となる。
【００３８】
また、前板１３が、平行四辺形をなす一対の側板１７，１７の一方の縦辺（斜辺）と連接し、かつ、一対の側板１７，１７の前板１３との連接辺２３ｄ，２３ｄと鋭角をなす縦辺が接地辺３１ｂ，３１ｂとなることで、各部材が組み立てられた状態で、前板１３は、平行四辺形をなす一対の側板１７，１７によって、背板１５側に傾く。これにより、複数のパウチ商品３を収納部２１に収納したとき、全てのパウチ商品３を背板１５側に寄り掛けるように働きかけることが可能となる。
【００３９】
また、前板１３は、一対の横辺と平行な折り曲げ線２９ａにおいて二つ折り可能に構成することにより、各部材を組み立てた状態で、前板１３が二重構造となり、パウチ商品３が前方に倒れても、その重みに耐えられるだけの強度と、耐久性とを備えるものとなる。
【００４０】
また、前板１３は、底板１１との連接辺２３ａとは反対側の横辺を含む半分側の第１前板１３ａの縦辺に一対の側板１７，１７を連接することにより、組み立てられたディスプレイ用具１を展開して、一枚のシート部材にした状態（扁平状）で、一対の側板１７，１７と一対の脚板１９，１９とが離間して配置されるので（図５参照）、接地辺３１ｂをなす横辺と対向する横辺に第２側板１７ｂ（タブ）を連接して配置することが可能となる。
【００４１】
また、一対の側板１７，１７は、接地辺３１ｂ，３１ｂをなす横辺と対向する横辺に、一対の第１側板１７ａ，１７ａの外形の内側に収まるように、折り曲げ可能に連接された一対の第２側板１７ｂ，１７ｂを設けることにより、各部材を組み立てた状態で、一対の側板１７，１７が二重構造となり、外部からの衝撃等に対する耐久性を備え、強度を高めるものとなる。
【００４２】
また、一対の側板１７，１７の接地辺３１ｂ，３１ｂ、及び、背板１５と一対の脚板１９，１９との連接辺２３ｄ，２３ｄには、切り込み３３，３３及び３５，３５が形成されている。このため、一対の側板１７，１７の一部が、背板１５の正面側から背板１５と一対の脚板１９，１９との連接辺２３ｄ，２３ｄに形成された切り込み３３，３３に挿入された状態で、一対の側板１７，１７の接地辺３１ｂ，３１ｂに形成された切り込み３５，３５が、背板１５と一対の脚板１９，１９との連接辺２３ｄ，２３ｄに組み合わされることにより、一対の側板１７，１７が切り込み３３，３３から抜けるのを防ぐことができ、ディスプレイ用具１の立体形状を自律的に維持するものとなる。更に、複数のパウチ商品３の重みに耐えられるだけの強度と、耐久性とを備えるものとなる。
【００４３】
また、一対の側板１７，１７の第２側板１７ｂ，１７ｂに、折り曲げ可能なフラップ３７，３７を設けることにより、一対の側板１７，１７が切り込み３３，３３に挿入された状態で、フラップ３７，３７が折れ線２５ｅ，２５ｅに沿って折り曲げられて、背板１５の背面に沿って突出するように設けられる。これにより、一対の側板１７，１７が切り込み３３，３３から抜かれる方向に変形するような場合であっても、フラップ３７，３７が背板１５の背面に当接して、一対の側板１７，１７の抜けを防止することが可能となる。
【００４４】
また、底板１１は、前板１３と背板１５との間に背板１５へ向けて突出する複数の切り起こし２７を設けることにより、立て掛けられたパウチ商品３が前板１３側に滑ったとしても、パウチ商品３が切り起こし２７に引掛り、滑りを防止するものとなる。また、切り起こし２７と切り起こし２７との間に、パウチ商品３を配置することで、パウチ商品３を整列させ、パウチ商品３の陳列状態での美観を高めるものとなる。
【００４５】
なお、本実施形態に係るディスプレイ用具１では、一対の脚板１９，１９が平面視で三角形をなしているが、背板１５との連接辺２３ｄ，２３ｄが斜辺となる形状であればよく、三角形のほかに、例えば、台形、平行四辺形等の多角形にしてもよい。
【００４６】
また、底板１１に設けられた切り起こし２７は、図５では４つ設けられているが、適宜個数を変更することができ、更に、底板１１の中央に配置されているが、一対の側板１７，１７の一方側寄り、又は、両側寄りに複数の列をなすように配置してもよい。
【００４７】
更に、背板１５は、平面視で縦長の長方形に形成されているが、横長の長方形や正方形でもよく、また、パウチ商品３を収まる面積で形成されているが、パウチ商品３の頂部の一部が突出するような面積で形成されてもよい。また、背板１５の両縦辺の長さと、一対の脚板１９，１９の斜辺の長さとが同じであるが、一対の脚板１９，１９の斜辺の長さが背板１５の両縦辺の長さより短くてもよい。
【符号の説明】
【００４８】
１…ディスプレイ用具、３…パウチ商品（商品）、１１…底板、１３…前板、１３ａ…第１前板、１３ｂ…第２前板、１５…背板、１７…側板（一対の側板）、１７ａ…第１側板（一対の側板）、１７ｂ…第２側板（一対の側板）、１９…脚板（一対の脚板）、２１…収納部、２３ａ〜２３ｄ…連接辺、２５ａ〜２５ｅ…折れ線、２７…切り起こし、２７ａ…切り抜き部分、２７ｂ…折れ線、２９ｂ…折り曲げ線、３１ａ〜３１ｃ…接地辺、３３・３５…切り込み、３７…フラップ
【図１】
0003206457.tif 000003
【図２】
0003206457.tif 000004
【図３】
0003206457.tif 000005
【図４】
0003206457.tif 000006
【図５】
0003206457.tif 000007